(57)【特許請求の範囲】
【請求項１】
容器本体と、この容器本体に開閉自在に蝶着される蓋体と、容器本体内に脱着自在に収納される中皿とを備え、前記容器本体内を２つに隔成して、その一方を前記中皿の脱着収納部とするとともにその底面全体を、前記中皿の底部下面と前記容器本体の下面とを略面一とすべく該中皿の底部が嵌合される開口部として形成し、他方を化粧具収納部とし、前記中皿には開閉自在に蝶着される中蓋を備えて該中蓋の指掛け部を庇状に突出形成し、前記中皿の収納時に化粧具を動くことなく固定するために、前記指掛け部が前記化粧具収納部上方に突出されるようにしたことを特徴とする化粧料容器。
【発明の詳細な説明】
【０００１】
【発明の属する技術分野】
本発明は、化粧料を収納する携帯容易な化粧料容器に関する。
【０００２】
【従来の技術】
一般に、化粧料の携帯用に化粧料容器が用いられるが、この化粧料容器は容器本体内に化粧料を収納すると共に、容器本体の後端部に開閉自在に蝶着される蓋体で容器本体上側を覆うようになっている。そして、容器本体と蓋体との前端部間に設けられるフック機構で蓋体の閉止状態が保持され、かつ、このフック機構を解除するための操作ボタンが容器本体の前端部から突出されるのが一般的な構造となっている。
【０００３】
ところで、この種の化粧料容器には実開昭５８−４０００３号公報に開示されるように、容器本体の収納部内に脱着可能に収納される中皿を設けるようになったものがある。即ち、前記中皿は皿状の容器に、中蓋がヒンジ結合される事により構成され、この中蓋および容器本体の蓋体が閉位置にあるときに、中蓋が蓋体で押圧されて、中蓋の閉止状態が保持されるようになっている。
【０００４】
【発明が解決しようとする課題】
しかしながら、かかる従来の化粧料容器にあっては、中皿を容器本体に収納する際に、この中皿を容器本体の底面の上側に載せるようにして配置しているため、これら容器本体と中皿はそれぞれの底面が重なってしまい、必然的に底部分の厚みが増大して容器本体が厚肉化してしまうという課題があった。
【０００５】
また、容器本体の他の収納部内にはスポンジ、パフ等化粧具も収納されるのであるが、容器本体の蓋体が閉位置にあるときに、化粧具が自由に動いて鏡面を汚損してしまうという課題があった。
【０００６】
そこで、本発明はかかる従来の課題に鑑みて、容器本体内に中皿を収納した際にも、この容器本体の底厚が増大して容器本体が厚肉化されるのを防止し、しかも収納された化粧具も固定することができるようにした化粧料容器を提供することを目的とする。
【０００７】
【課題を解決するための手段】
かかる目的を達成するために本発明は、容器本体と、この容器本体に開閉自在に蝶着される蓋体と、容器本体内に脱着自在に収納される中皿とを備え、前記容器本体内を２つに隔成して、その一方を前記中皿の脱着収納部とするとともにその底面全体を、前記中皿の底部下面と前記容器本体の下面とを略面一とすべく該中皿の底部が嵌合される開口部として形成し、他方を化粧具収納部とし、前記中皿には開閉自在に蝶着される中蓋を備えて該中蓋の指掛け部を庇状に突出形成し、前記中皿の収納時に化粧具を動くことなく固定するために、前記指掛け部が前記化粧具収納部上方に突出されるようにしたことを特徴とする。
【０００８】
従って、本発明の化粧料容器は、中皿の底部下面と容器本体の下面とを略面一とすべく中皿の底部が容器本体の開口部に嵌合されることにより、この開口部には中皿の底面のみが位置するので、中皿の底面と容器本体の底面とが重合されることはない。このため、中皿を用いた場合にも容器本体の全体の厚みが厚くなるのを防止して、化粧料容器の薄肉化を達成することができる。
【０００９】
さらに、中皿が脱着収納部に収納されると、庇状に突出形成された中蓋の指掛け部が化粧具を動くことなく固定するために化粧具収納部の上方に突出し、これにより化粧具収納部を覆うことができて、化粧具が動くのを防止し、鏡面の汚損を防止することができる。
【００１０】
【発明の実施の形態】
以下、本発明の実施例を添付図面を参照して詳細に説明する。図１から図３は本発明の化粧料容器の一実施例を示し、図１は蓋体を開いて中皿を取出した状態の斜視図、図２は蓋体を閉じた状態の図１中Ａ−Ａ線に対応する断面図、図３は蓋体を閉じた状態の図１中Ｂ−Ｂ線に対応する断面図である。
【００１１】
即ち、本実施例の化粧料容器１０は図１に示すように、容器本体１２と、この容器本体１２の後方端部に第１蝶番１４を介して蝶着される蓋体１６とを備える。前記容器本体１２は側壁１２ａと底面１２ｂとを備えた皿状を成しており、この容器本体１２の内側は左右方向略中央に前後方向を指向して配置される仕切り壁１２ｃによって２つに隔成され、この仕切り壁１２ｃの左側が化粧料を収納する中皿としてのレフィル容器１８の脱着収納部２０とされ、右側がパフ等の化粧具収納部２２として構成される。また、側壁１２ａの略中央部には、上面に開口する切欠部３２が形成されている。さらに、仕切り壁１２ｃの略中央部には、切欠部３４が形成されている。さらにまた、化粧具収納部２２が形成されている容器本体１２の側壁１２ａの上端部は、内方に庇状に突出して庇部１２ｅが形成されている。
【００１２】
前記第１蝶番１４は、容器本体１２の後端部中央に形成される凹部１４ａに、蓋体１６の後端部中央に形成される凸部１４ｂが嵌合され、これら凹部１４ａと凸部１４ｂとに跨がって両側から蝶番ピン１４ｃが挿入されることにより構成される。また、前記蓋体１６の閉じ状態では、図３に示すように蓋体１６の先端中央部から垂設されたフック１６ｃが、容器本体１２の前端中央部に設けた凸部１２ｄに係脱可能に係合されるようになっている。尚、前記蓋体１６の裏面１６ａに形成された凹部１６ｂには鏡２４が嵌合固定される。
【００１３】
前記レフィル容器１８は取換え用の容器として用いられ、化粧料が充填される皿部本体２６と、この皿部本体２６の上面を閉止する中蓋２８とを備え、前記中蓋２８は一端部が第２蝶番３０を介して皿部本体２６に開閉可能に蝶着されるようになっている。前記第２蝶番３０は、中蓋２８の端部中央から突設される凸部３０ａが、皿部本体２６から突設される支持部３０ｂに嵌合され、これら凸部３０ａと支持部３０ｂとに跨がって蝶番ピン３０ｃが挿入されることにより構成される。また、前記中蓋２８の開放端部には、端部中央が庇状に外方へ突出し、指掛け部２９が形成されている。また、前記中蓋２８の閉じ状態では、図２に示すように中蓋２８の開放端部中央から垂設されるフック２８ａが、皿部本体２６に設けられる凸部２６ａに係脱可能に係合されるようになっている。
【００１４】
前記レフィル容器１８は前記容器本体１２の脱着収納部２０に脱着可能に嵌合されるが、このとき、側壁１２ａに形成された切欠部３２に前記レフィル容器１８の第２蝶番３０が嵌合されると共に、前記仕切り壁１２ｃに形成された切欠部３４は、前記中蓋２８のフック２８ａを操作するための空隙となっている。また、前記皿部本体２６の両側壁外面に形成された係合凹部３６が、前記脱着収納部２０の前後側壁１２ａ内面に形成された係合凸部３８に係合されることにより、脱着収納部２０に嵌合されたレフィル容器１８の脱落が防止されるようになっている。
【００１５】
ここで、本実施例では前記脱着収納部２０の底面全体をくり抜いて大きな開口部４０を形成してある。前記開口部４０は前記皿部本体２６の外側形状より若干小さく形成され、この開口部４０の内周面が皿部本体２６の底部２６ｂ周縁部の面取り形状に沿ってすり鉢状に形成される。そして、前記レフィル容器１８を脱着収納部２０に嵌合した際に、図２，図３に示すように皿部本体２６の底部２６ｂ周縁部を開口部４０の内周面に係止して臨ませ、この底部２６ｂの下面と容器本体１２の下面とが略面一とする。
【００１６】
以上の構成により本実施例の化粧料容器１０にあっては、レフィル容器１８は容器本体１２の脱着収納部２０に着脱自在となっているため、レフィル容器１８を複数用意して、それぞれに異なる色の化粧料を充填しておくことにより、その日の化粧に応じた化粧料のレフィル容器１８を選んで化粧料容器１０にセットしておくことができる。
【００１７】
ところで、本実施例の化粧料容器１０にあっては容器本体１２内にレフィル容器１８を収納した際に、上述したようにこのレフィル容器１８の皿部本体２６の底部２６ｂが容器本体１２の開口部４０内に嵌合されるため、これら皿部本体２６と容器本体１２とが重合するのが防止される。従って、前記容器本体１２内にレフィル容器１８を収納したにもかかわらず、この容器本体１２の全体の厚みが厚くなるのを防止でき、ひいては、化粧料容器１０を薄肉化することができる。
【００１８】
また、レフィル容器１８が脱着収納部２０に収納されると、庇状に突出形成された中蓋２８の指掛け部２９が、庇部１２ｅと共に化粧具収納部２２の上方周縁を覆い、これにより、化粧具が動くことなく固定され、鏡２４に化粧具が接触して鏡面が汚損することを防止することができる。
【００１９】
図４から図６は他の実施例を示し、前記実施例と同一構成部分に同一符号を付して重複する説明を省略して述べる。尚、図４は図２に対応する断面図、図５は図３に対応する断面図、図６は図５中Ｃ部の拡大断面図である。
【００２０】
即ち、この実施例では図４，図５に示すようにレフィル容器１８の皿部本体２６の外周を取巻いてパッキン材５０を取付け、このパッキン材５０と中蓋２８との間で皿部本体２６内を密閉するようになっている。前記パッキン材５０は皿部本体２６の上端２６ｃより下がった位置に配置され、図６に示すようにこのパッキン材５０の上端部には平坦部５０ａと、この平坦部５０ａの外側部分に外径方向が下方に傾斜するテーパ部５０ｂとが形成される。
【００２１】
一方、前記中蓋２８には皿部本体２６の外周を適宜間隙をもって囲繞する環状凸部５２を突設し、この環状凸部５２の先端部に前記パッキン材５０の平坦部５０ａに当接する凸条５２ａと、前記テーパ部５０ｂに当接する錐面部５２ｂとが形成される。
【００２２】
従って、この実施例ではレフィル容器１８の中蓋２８を閉じた際に、皿部本体２６の外側で環状凸部５２がパッキン材５０に当接されることにより、この皿部本体２６内の密閉性が保持されるようになっている。つまり、レフィル容器１８の中蓋２８を開けて化粧料を使用すると、化粧料の粉が皿部本体２６の上端２６ｃに付着するため、化粧料が付着したこの皿部本体２６の上端２６ｃと中蓋２８との間でシールしても、その密閉性が損なわれる。そこで、この実施例のように化粧料が到達しずらい皿部本体２６の外周部で、かつ一段下がった部分でシールすることにより、皿部本体２６内の密閉性を著しく向上することができる。
【００２３】
【発明の効果】
以上説明したように本発明の化粧料容器にあっては、２つに隔成された容器本体の脱着収納部の底面全体を開口部として形成し、この開口部内に中皿の底部を嵌合して中皿の底部下面と容器本体の下面とを略面一となるようにしているので、中皿の底面と容器本体の底面とが重合されるのを防止することができる。従って、中皿を用いた場合にも容器本体の全体の厚みが厚くなるのを防止して、化粧料容器を薄肉化することができる。
【００２４】
さらに、中皿には開閉自在に蝶着される中蓋を備えるとともに中蓋の指掛け部を庇状に突出形成し、中皿の収納時に化粧具を動くことなく固定するために指掛け部が化粧具収納部上方に突出するようにしているので、この指掛け部で化粧具収納部を覆って蓋体側と区分することができ、化粧具が動くことなく固定され、鏡に化粧具などが接触することによる鏡面の汚損を防止することができるという優れた効果を奏する。
【図面の簡単な説明】
【図１】本発明の一実施例を示す蓋体を開いて中皿を取出した状態の斜視図である。
【図２】本発明の一実施例を示す蓋体を閉じた状態の図１中Ａ−Ａ線に対応する断面図である。
【図３】本発明の一実施例を示す蓋体を閉じた状態の図１中Ｂ−Ｂ線に対応する断面図である。
【図４】本発明の他の実施例を示す図２に対応する断面図である。
【図５】本発明の他の実施例を示す図３に対応する断面図である。
【図６】本発明の他の実施例を示す図５中Ｃ部の拡大断面図である。
【符号の説明】
１０    化粧料容器
１２    容器本体
１６    蓋体
１８    レフィル容器（中皿）
２０    脱着収納部
２２    化粧具収納部
２６    皿部本体
２８    中蓋
２９    指掛け部
４０    開口部
【図１】
0003630341.tif 000002
【図２】
0003630341.tif 000003
【図３】
0003630341.tif 000004
【図４】
0003630341.tif 000005
【図５】
0003630341.tif 000006
【図６】
0003630341.tif 000007